(57)【特許請求の範囲】
【請求項１】
画像を読取る媒体を載置する載置部と、
前記載置部における前記媒体を載置する面である載置面側の反対側に配設され、前記媒体で反射して前記載置部を透過した光を受光することにより前記媒体の画像を読取る読取部と、
前記載置面に対して回動することによって前記載置面に対して開閉可能に設けられていると共に、前記載置面に対して閉じることにより前記載置面に載置された前記媒体を前記載置面とで挟むことができ、且つ、それぞれ独立して前記載置面に対して開閉可能な第１カバーと第２カバーと、前記第２カバーが前記載置面に対して閉じられている場合に、前記載置面に対して回動することによって前記第２カバーとは独立して前記載置面に対して開閉可能に前記第２カバーに接続されている第３カバーと、からなる複数のカバーと、
複数の前記カバーを連結させることができると共に複数の前記カバーを連結させた場合には連結した複数の前記カバーを前記載置面に対して一体で開閉させることができる連結機構と、
を備え、
前記読取部は、前記載置面に対して平行に移動しながら前記媒体の画像を読取るように設けられており、
複数の前記カバーは、前記載置面に対して回動する際における回動軸が、前記読取部の移動方向である副走査方向に平行な向きになっており、
前記連結機構が複数の前記カバーを連結しておらず、前記カバーが独立して開閉された場合には、前記読取部は、直前に閉じられた前記カバーが位置する範囲の前記媒体の画像を読取り、
前記連結機構が前記第３カバーを前記第２カバーに対して非連結の状態にした場合において、前記第３カバーを開閉した場合には、前記読取部は前記副走査方向において前記第３カバーの範囲で移動しつつ、前記読取部の主走査方向における前記第３カバーの範囲の読取りを行うことを特徴とする画像読取装置。
【請求項２】
前記読取部は、前記連結機構が前記１カバーと前記第２カバーとを連結していない場合には、前記読取部は、画像の読取りの待機時に、前記１カバーと前記第２カバーとの間の部分に該当する位置に移動することを特徴とする請求項１に記載の画像読取装置。
【請求項３】
前記読取部は、前記連結機構が複数の前記カバーを連結している場合には、前記読取部は、画像の読取りの待機時に、連結されている複数の前記カバー全体の前記読取部の移動方向における端部の位置に該当する位置に移動することを特徴とする請求項１に記載の画像読取装置。
【請求項４】
前記読取部は、前記連結機構が複数の前記カバーを連結していない状態で一部の前記カバーが開かれた場合には、前記読取部は、開かれた前記カバーの前記読取部の移動方向における端部の位置に該当する位置に移動することを特徴とする請求項１に記載の画像読取装置。
【請求項５】
前記連結機構が複数の前記カバーを連結している場合には、前記読取部は、連結されている複数の前記カバーが位置する範囲の前記媒体の画像を読取ることを特徴とする請求項１または３に記載の画像読取装置。
【請求項６】
さらに、前記読取部で読取った画像を保存する読取画像保存手段を有しており、
前記読取画像保存手段は、複数の前記カバーの開閉の順序や前記連結機構による前記カバーの連結状態に応じて、前記読取部で読取った画像のページを決定して１つのファイルとして保存することを特徴とする請求項１〜５のいずれか１項に記載の画像読取装置。
【請求項７】
前記読取部で複数の前記媒体の画像を連続して読取る場合には、前記読取画像保存手段は、前記読取部で画像を読取るごとに、読取った画像を１つの前記ファイルにおける最終ページとして追加することを特徴とする請求項６に記載の画像読取装置。
【発明の詳細な説明】
【技術分野】
【０００１】
本発明は、画像読取装置に関する。
【背景技術】
【０００２】
イメージスキャナや複写機、ファクシミリ、文字認識装置などに適用される従来の画像読取装置としては、例えば、本や雑誌などの媒体を原稿台の上に載置し、原稿台に内設されると共に媒体の画像を読取る読取部として設けられるラインセンサを移動させることにより、媒体の画像を読取る、いわゆるフラットベッド（Ｆｌａｔ  Ｂｅｄ）型の画像読取装置がある。このフラットベッド型の画像読取装置は、原稿台上に媒体を載置し、原稿台に対して開閉可能に設けられることにより媒体を押さえることができるカバーによって媒体を押さえた状態で媒体の画像を読取るため、厚さが薄いシート状の原稿のみでなく、本や雑誌などのように比較的厚みのある媒体も読取ることができる。
【０００３】
また、このようなフラットベッド型の画像読取装置は、媒体を原稿台上に載置した状態で画像を読取るため、原稿台は比較的大きいサイズで設定されている場合が多くなっているが、画像読取装置によって画像を読取る媒体は、様々な大きさのものがある。このため、媒体の大きさが原稿台の大きさよりも大幅に小さい場合も多々あるが、このような媒体の画像を読取る場合に、媒体を押さえるカバーも原稿台と同様に大きなものが使用されていると、画像の読取り時にカバーを開閉する際に、媒体の大きさと比較して大きな労力が必要になる。このため、従来の画像読取装置の中には、このようなカバーの開閉時の労力の低減を図っているものがある。
【０００４】
例えば、特許文献１に記載された画像形成装置では、それぞれ独立して回動することにより原稿台を覆うことができるカバーが複数設けられており、近接する一対のカバーの一方のカバーを開閉操作した場合には、他方のカバーも連動して開閉し、この他方のカバーを開閉操作した場合には、一対のカバーは連動せずに独立して開閉するように設けられている。これにより、大きさが小さい媒体の画像を読取る場合には、連動せずに独立して開閉することができるカバーの開閉操作を行って画像を読取り、大きな媒体の画像を読取る場合には、近接するカバーを連動させることができるカバーの開閉操作を行うことにより、大きな媒体を、この連動して開閉する一対のカバーで押さえることができる。従って、画像を読取る媒体の大きさが変化する場合でも、媒体の大きさに応じたカバーの開閉操作を行うことができ、必要以上に大きなカバーを開閉することに起因する不必要な労力の発生や、カバーの開閉時の煩わしさを低減することができる。
【先行技術文献】
【特許文献】
【０００５】
【特許文献１】特開２００７−４０５５号公報
【発明の概要】
【発明が解決しようとする課題】
【０００６】
このように、カバーが分割されている画像読取装置では、媒体の大きさに応じて開閉するカバーの大きさを変化させることができるが、画像読取装置で媒体の画像を読取る場合、比較的大きさが小さい媒体を多数読取ることも想定される。このような場合、特許文献１に記載されたような、近接する一対のカバーのうち一方のカバーの開閉時には一対のカバーが連動して開閉し、他方のカバーの開閉時にはカバーが連動せずに独立して開閉する画像形成装置の場合には、他方のカバーと連動しないで開閉させることのできるカバーを開閉させて、小さな媒体の画像を読取ることになる。しかし、原稿台の大きさは媒体と比較して大きく、画像を読取ることができる部分の面積は大きいにも関わらず、このようにカバー全体の一部分のみを開閉させて画像を読取ることは、効率的とは言えず、このようなフラットベッド型の画像読取装置は、さらなる改善の余地があった。
【０００７】
本発明は、上記に鑑みてなされたものであって、媒体の大きさに応じて媒体の画像を適切に読取ることのできる画像読取装置を提供することを目的とする。
【課題を解決するための手段】
【０００８】
上述した課題を解決し、目的を達成するために、本発明に係る画像読取装置は、画像を読取る媒体を載置する載置部と、前記載置部における前記媒体を載置する面である載置面側の反対側に配設され、前記媒体で反射して前記載置部を透過した光を受光することにより前記媒体の画像を読取る読取部と、前記載置面に対して回動することによって前記載置面に対して開閉可能に設けられていると共に、前記載置面に対して閉じることにより前記載置面に載置された前記媒体を前記載置面とで挟むことができ、且つ、それぞれ独立して前記載置面に対して開閉可能な複数のカバーと、複数の前記カバーを連結させることができると共に複数の前記カバーを連結させた場合には連結した複数の前記カバーを前記載置面に対して一体で開閉させることができる連結機構と、を備えることを特徴とする。
【０００９】
この発明では、画像を読取る媒体を載置する載置面とによって媒体を挟むことができると共に、載置面に対して独立して開閉可能なカバーを複数設け、このカバーには、複数のカバーを連結することができる連結機構を設けている。これにより、媒体の大きさが比較的大きい場合には、連結機構で複数のカバーを連結し、複数のカバーを一体で開閉させてカバーと載置面とで媒体を挟み、画像を読取る。これにより、比較的大きな媒体の画像を読取る場合に、大きな媒体の大きさに適したカバーを一度の開閉操作で開閉させることができ、比較的大きな媒体でも、容易に読取ることができる。
【００１０】
また、媒体の大きさが比較的小さい場合には、連結機構でカバーを連結させずに、カバーを単体で開閉してカバーと載置面とで媒体を挟んで画像を読取る。これにより、媒体の大きさが小さい場合には、開閉するカバーの大きさも小さくすることができるので、開閉時に不必要な労力が発生することを抑制することができる。さらに、複数のカバーを独立して開閉させることができるので、大きさが比較的小さい複数の媒体の画像を読取る場合には、複数のカバーを交互に開閉し、複数のカバーで交互に載置面との間で複数の媒体を挟むことができる。これにより、載置面を効率よく使用して、複数の媒体の画像を効率よく読取ることができる。この結果、媒体の大きさに応じて媒体の画像を適切に読取ることができる。
【００１１】
また、上記画像読取装置において、前記読取部は、前記載置面に対して平行に移動しながら前記媒体の画像を読取るように設けられており、且つ、前記連結機構が複数の前記カバーを連結していない場合には、前記読取部は、画像の読取りの待機時に、隣り合う前記カバー同士の間の部分に該当する位置に移動することが好ましい。
【００１２】
この発明では、複数のカバーを連結していない場合には、画像の読取りの待機時に、読取部は隣り合うカバー同士の間の部分に該当する位置に移動するので、複数のカバーを交互に開閉させて複数の媒体の画像を交互に読取る際に、より効率よく読取ることができる。この結果、媒体の大きさに応じて媒体の画像を適切に、且つ、効率よく読取ることができる。
【００１３】
また、上記画像読取装置において、前記読取部は、前記載置面に対して平行に移動しながら前記媒体の画像を読取るように設けられており、且つ、前記連結機構が複数の前記カバーを連結している場合には、前記読取部は、画像の読取りの待機時に、連結されている複数の前記カバー全体の端部の位置に該当する位置に移動することが好ましい。
【００１４】
この発明では、複数のカバーを連結している場合には、画像の読取りの待機時に、読取部は連結されている複数のカバー全体の端部の位置に該当する位置に移動するので、大きさが比較的大きい媒体の画像の読取りの開始時には、読取部は適切な位置に移動しているので、効率よく画像を読取ることができる。この結果、媒体の大きさに応じて媒体の画像を適切に、且つ、効率よく読取ることができる。
【００１５】
また、上記画像読取装置において、前記読取部は、前記載置面に対して平行に移動しながら前記媒体の画像を読取るように設けられており、且つ、前記連結機構が複数の前記カバーを連結していない状態で一部の前記カバーが開かれた場合には、前記読取部は、開かれた前記カバーの端部の位置に該当する位置に移動することが好ましい。
【００１６】
この発明では、複数のカバーを連結していない状態で一部のカバーが開かれた場合には、読取部は、開かれたカバーの端部の位置に該当する位置に移動するので、複数のカバーを交互に開閉させて複数の媒体の画像を交互に読取る際に、より効率よく読取ることができる。この結果、媒体の大きさに応じて媒体の画像を適切に、且つ、効率よく読取ることができる。
【００１７】
また、上記画像読取装置において、前記連結機構が複数の前記カバーを連結しておらず、前記カバーが独立して開閉された場合には、前記読取部は、直前に閉じられた前記カバーが位置する範囲の前記媒体の画像を読取ることが好ましい。
【００１８】
この発明では、複数のカバーを連結しておらず、カバーが独立して開閉された場合には、読取部は、直前に閉じられたカバーが位置する範囲の媒体の画像を読取るので、大きさが比較的小さい複数の媒体の画像の読取る場合に、読取部を、常に適切な位置に移動させることができる。これにより、複数の媒体の画像を、効率よく読取ることができる。この結果、媒体の大きさに応じて媒体の画像を適切に、且つ、効率よく読取ることができる。
【００１９】
また、上記画像読取装置において、前記連結機構が複数の前記カバーを連結している場合には、前記読取部は、連結されている複数の前記カバーが位置する範囲の前記媒体の画像を読取ることが好ましい。
【００２０】
この発明では、読取部は、複数のカバーの連結時には、連結されているカバーが位置する範囲の媒体の画像を読取るので、画像を読取る際の載置面上における読取る位置及び範囲を、読取る媒体に応じた位置及び範囲にして読取ることができる。これにより、大きさが異なる媒体の画像を読取ることを可能にする場合に、読取る範囲を必要以上に大きくする必要がなく、画像を読取る媒体の大きさに応じて読取る範囲を異ならせることができるので、媒体の大きさに関わらず、効率よく画像を読取ることができる。この結果、媒体の大きさに応じて媒体の画像を適切に、且つ、効率よく読取ることができる。
【００２１】
また、上記画像読取装置において、さらに、前記読取部で読取った画像を保存する読取画像保存手段を有しており、前記読取画像保存手段は、複数の前記カバーの開閉の順序や前記連結機構による前記カバーの連結状態に応じて、前記読取部で読取った画像のページを決定して１つのファイルとして保存することが好ましい。
【００２２】
この発明では、媒体の画像を読取る際に、複数のカバーの開閉の順序や連結機構によるカバーの連結状態に応じて、読取画像保存手段で、読取部で読取った画像のページを決定して１つのファイルとして保存するので、複数の媒体の画像を読取る場合に、扱い易い状態にして画像を保存することができる。この結果、複数の媒体の画像を適切に読取り、保存することができる。
【００２３】
また、上記画像読取装置において、前記読取部で複数の前記媒体の画像を連続して読取る場合には、前記読取画像保存手段は、前記読取部で画像を読取るごとに、読取った画像を１つの前記ファイルにおける最終ページとして追加することが好ましい。
【００２４】
この発明では、読取画像保存手段は、読取部で画像を読取るごとに、読取った画像を１つのファイルにおける最終ページとして追加するので、複数の媒体の画像を読取る場合に、より適切に、扱い易い状態にして画像を保存することができる。この結果、複数の媒体の画像を適切に読取り、保存することができる。
【発明の効果】
【００２５】
本発明に係る画像読取装置は、媒体の大きさに応じて媒体の画像を適切に読取ることができる、という効果を奏する。
【図面の簡単な説明】
【００２６】
【図１】図１は、実施形態に係る画像読取装置の概略図である。
【図２】図２は、第１カバーが開き、第２カバーが閉じた状態を示す説明図である。
【図３】図３は、第１カバーが閉じ、第２カバーが開いた状態を示す説明図である。
【図４】図４は、図１のＡ部詳細図である。
【図５】図５は、連結部を非連結の状態にした場合における説明図である。
【図６】図６は、図１に示す画像読取装置の要部構成図である。
【図７】図７は、大きな原稿を読取る場合における説明図である。
【図８】図８は、小さな原稿を読取る場合における説明図である。
【図９】図９は、実施形態に係る画像読取装置の変形例を示す説明図である。
【図１０】図１０は、原稿の画像の読取り時における処理手順の概略を示すフロー図である。
【図１１】図１１は、割付読取モードの処理手順を示すフロー図である。
【図１２】図１２は、ファイル／ページ管理モードの処理手順を示すフロー図である。
【図１３】図１３は、原稿カバーの開閉状態に基づいて読取りを継続する場合の処理手順を示すフロー図である。
【発明を実施するための形態】
【００２７】
以下に、本発明に係る画像読取装置の実施形態を図面に基づいて詳細に説明する。なお、この実施形態によりこの発明が限定されるものではない。また、下記実施形態における構成要素には、当業者が置換可能かつ容易なもの、或いは実質的に同一のものが含まれる。
【００２８】
〔実施形態〕
図１は、実施形態に係る画像読取装置の概略図である。なお、以下の説明では、画像読取装置１の使用時における上方側を画像読取装置１の上方とし、画像読取装置１の使用時における下方側を画像読取装置１の下方として説明する。図１に示す画像読取装置１は、画像読取装置１の本体である本体部５の上面が平面になっており、この上面の部分は、画像読取装置１で画像を読取る媒体である原稿を載置する部分である載置部１０となっている。この載置部１０は、透明なガラス等の透明な部材により設けられており、載置部１０の上面側が、原稿を載置する載置面１１となっている。本体部５は、少なくともこの載置面１１が略矩形状の形状になって形成されている。
【００２９】
また、本体部５には、原稿の画像を読取ることが可能な読取部１５が内設されている。即ち、読取部１５は、載置部１０における載置面１１側の反対側に配設されている。この読取部１５は、複数の受光素子（図示省略）が一次元配列状に配設されたラインセンサを有しており、ラインセンサは、光を受光した際に受光した光を電気信号に変換することにより、原稿の画像を電気的に読取ることが可能になっている。このように設けられる読取部１５は、ラインセンサが形成される方向が載置面１１に平行になる向きで配設されており、このラインセンサが形成される方向が、読取部１５で画像を読取る際の主走査方向になっている。
【００３０】
また、読取部１５は、発光手段である光源（図示省略）を有しており、即ち、ラインセンサと光源とは、一体となって設けられている。このように、ラインセンサと一体となって設けられる光源は、ＬＥＤ（Ｌｉｇｈｔ  Ｅｍｉｔｔｉｎｇ  Ｄｉｏｄｅ）等、電気を印加することによって発光するものが用いられており、ラインセンサが有する複数の受光素子が配列されている方向と平行な形態で光を照射することが可能になっている。
【００３１】
また、読取部１５は、本体部５内を移動可能に設けられており、詳しくは、載置面１１に対して平行で、且つ、ラインセンサが形成される方向に直交する方向に移動可能になって本体部５に内設されている。つまり、本体部５には、載置面１１に対して平行で、且つ、ラインセンサが形成される方向に直交する方向に沿って形成されたレール（図示省略）と、読取部１５を移動させることができる駆動モータ４０（図６参照）とが内設されており、駆動モータ４０を作動させることにより、読取部１５は本体部５内をレールに沿って移動することができる。これにより、読取部１５は、載置面１１に対して平行に移動しながら原稿の画像を読取るように設けられており、この移動方向が、読取部１５で画像を読取る際の副走査方向になっている。
【００３２】
また、画像読取装置１は、載置面１１とで原稿を挟むことができるカバーである原稿カバー２０を有している。この原稿カバー２０は、第１カバー２１と第２カバー２２との複数が設けられており、第１カバー２１と第２カバー２２とは、共に載置面１１に対して回動することにより載置面１１に対して開閉可能に設けられている。
【００３３】
詳しくは、第１カバー２１と第２カバー２２とは、共に略矩形状の板状の形状で形成されており、それぞれ４つの辺のうちの１辺が、ヒンジ（図示省略）によって本体部５に接続されている。第１カバー２１と第２カバー２２とがヒンジによって本体部５に接続される部分は、略矩形状の載置面１１の４つの辺のうち同じ辺の近傍に接続されており、第１カバー２１と第２カバー２２は、載置面１１の同じ辺の近傍に、この辺の形成方向に並んで接続されている。載置面１１の４つの辺のうち、このように近傍に原稿カバー２０が接続されている辺は、読取部１５のラインセンサの形成方向に直交する向きの辺のうちの１つの辺になっている。即ち、原稿カバー２０は、載置面１１の４つの辺のうち、読取部１５の移動方向に平行に形成される辺の近傍に、ヒンジによって接続されている。
【００３４】
図２は、第１カバーが開き、第２カバーが閉じた状態を示す説明図である。図３は、第１カバーが閉じ、第２カバーが開いた状態を示す説明図である。これらの第１カバー２１と第２カバー２２とは、共にヒンジによって本体部５に接続されているため、このヒンジによって本体部５に対して独立して回動可能に設けられている。つまり、第１カバー２１と第２カバー２２とは、載置面１１に対して回動可能に設けられており、載置面１１に対して回動することにより、載置面１１に対してそれぞれ独立して開閉可能になっている。このため、第１カバー２１を開いたまま第２カバー２２を閉じたり、反対に第２カバー２２を開いたまま第１カバー２１を閉じたりすることができる。
【００３５】
また、これらのように載置面１１に対して開閉可能な原稿カバー２０は、第１カバー２１と第２カバー２２とを共に載置面１１に近付く方向に回動させた場合、即ち、第１カバー２１と第２カバー２２とを共に載置面１１に対して閉じた場合、載置面１１の全域を第１カバー２１と第２カバー２２とによって覆うことができる大きさで形成されている。
【００３６】
第１カバー２１や第２カバー２２は、これらのようにヒンジによって本体部５に接続されることにより、開閉可能に設けられているが、それぞれのヒンジの部分には、第１カバー２１や第２カバー２２の開閉を独立して検出することができる開閉センサ３０（図６参照）が設けられている。
【００３７】
なお、この開閉センサ３０は、ヒンジの部分以外に設けられていてもよく、例えば、第１カバー２１や第２カバー２２を閉じた場合に、これらの原稿カバー２０と本体部５とが当接する部分に、当接した事を検知するセンサによって設けてもよい。開閉センサ３０は、第１カバー２１と第２カバー２２との開閉状態を独立して検知することができれば、その形態は問わない。
【００３８】
図４は、図１のＡ部詳細図である。図５は、連結部を非連結の状態にした場合における説明図である。原稿カバー２０は、独立して開閉可能な第１カバー２１と第２カバー２２とによって設けられているが、原稿カバー２０は、第１カバー２１と第２カバー２２とを連結する連結機構を有している。具体的には、連結機構は、スライド可能なスライド部２６と、このスライド部２６と結合可能な結合部２７とからなる連結部２５によって構成されており、スライド部２６と結合部２７とが第１カバー２１と第２カバー２２とに分かれて設けられている。例えば、スライド部２６は、第２カバー２２における第１カバー２１寄りの端部付近に設けられて第１カバー２１と第２カバー２２との間の方向にスライド可能に設けられており、結合部２７は、第１カバー２１における第２カバー２２寄りの端部付近に、スライド部２６が入り込むことが可能な形状で設けられている。これにより、連結部２５は、スライド部２６と結合部２７とで結合可能になっており、スライド部２６と結合部２７とが結合することにより、第１カバー２１と第２カバー２２とは連結する。
【００３９】
つまり、連結部２５によって第１カバー２１と第２カバー２２とを連結させる場合には、スライド部２６を第１カバー２１の方向にスライドさせ、スライド部２６を第１カバー２１の方向に突出させて結合部２７に挿入し、結合部２７と結合させる（図４）。これにより、第１カバー２１と第２カバー２２とは、このスライド部２６と結合部２７とを有する連結部２５を介して連結した状態になる。連結部２５によって、このように第１カバー２１と第２カバー２２とを連結させた場合には、第１カバー２１または第２カバー２２のいずれか一方を開閉させた場合、その開閉に合わせて他方も開閉するので、第１カバー２１と第２カバー２２とは、載置面１１に対して一体で開閉可能な状態になる。
【００４０】
これに対し、第１カバー２１と第２カバー２２とを連結しない場合には、スライド部２６を第１カバー２１から離す方向、即ち、結合部２７から離す方向に位置させることにより、スライド部２６と結合部２７とを離間させる（図５）。これにより、第１カバー２１側の連結部２５である結合部２７と、第２カバー２２側の連結部２５であるスライド部２６とは離間し、第１カバー２１と第２カバー２２とは、双方を接続するものがなくなるため、それぞれ独立して開閉する。
【００４１】
また、この連結部２５には、連結部２５の状態を検出する連結センサ３５（図６参照）が設けられている。この連結センサ３５は、連結部２５の状態を検出することにより、連結部２５によって連結可能な第１カバー２１と第２カバー２２との連結状態を検出することができる。
【００４２】
図６は、図１に示す画像読取装置の要部構成図である。本実施形態に係る画像読取装置１には、画像読取装置１の各部を制御することができる制御部５０が設けられており、上述した読取部１５、開閉センサ３０、連結センサ３５、駆動モータ４０は、この制御部５０に接続されている。また、画像読取装置１には、当該画像読取装置１を使用する人が操作する際における操作指示の入力手段である操作ボタン４５が設けられており、この操作ボタン４５も、制御部５０に接続されている。
【００４３】
これらのように画像読取装置１が有する各機器が接続される制御部５０には、処理部５２、記憶部６６及び入出力部６８が設けられており、これらは互いに接続され、互いに信号の受け渡しが可能になっている。また、制御部５０に接続されている読取部１５、開閉センサ３０、連結センサ３５、駆動モータ４０、操作ボタン４５は、入出力部６８に接続されており、入出力部６８は、これらの読取部１５等との間で信号の入出力を行う。また、記憶部６６には、画像読取装置１を制御するコンピュータプログラムが格納されている。
【００４４】
また、処理部５２は、各種の演算処理を行うＣＰＵ（Ｃｅｎｔｒａｌ  Ｐｒｏｃｅｓｓｉｎｇ  Ｕｎｉｔ）５４と、読取部１５を制御することにより、画像の読取り制御を行う読取制御部５６と、駆動モータ４０を制御することにより、読取部１５の移動の制御を行う駆動制御部５８と、操作ボタン４５による入力操作を取得する入力操作取得部６０と、開閉センサ３０での検出結果より、原稿カバー２０の開閉状態を取得する開閉状態取得部６２と、連結センサ３５での検出結果より、第１カバー２１と第２カバー２２との連結状態を取得する連結状態取得部６４と、を有している。
【００４５】
制御部５０によって制御される画像読取装置１の制御は、例えば、開閉センサ３０等の検出結果に基づいて、処理部５２が上記コンピュータプログラムを当該処理部５２で読込んで演算し、演算の結果に応じて読取部１５等を作動させることにより制御する。その際に処理部５２は、適宜記憶部６６へ演算途中の数値を格納し、また格納した数値を取り出して演算を実行する。
【００４６】
また、本実施形態に係る画像読取装置１には、パーソナルコンピュータ等の制御装置７０が接続されており、画像読取装置１は、制御装置７０によっても制御可能になっている。この制御装置７０の一例の構成について説明すると、制御装置７０は、制御装置７０において各種の制御を行う制御部７２と、入力操作を行う操作部８６と、操作部８６での入力操作の状態や制御装置７０での演算処理の結果等を表示する表示部８８と、を有しており、操作部８６と表示部８８とは、制御部７２に接続されている。
【００４７】
また、制御部７２には、処理部７４、記憶部７８及び入出力部８４が設けられており、これらは互いに接続され、互いに信号の受け渡しが可能になっている。画像読取装置１とは、制御装置７０の入出力部８４と、画像読取装置１の入出力部６８とが接続されることにより、互いに接続され、双方で信号の受け渡しが可能になっている。また、制御部７２に接続されている操作部８６と表示部８８とは、入出力部８４に接続されており、入出力部８４は、これらの操作部８６等との間で信号の入出力を行う。また、処理部７４は、画像読取装置１の制御部５０が有する処理部５２と同様に、各種の演算処理を行うＣＰＵ７６を有している。また、記憶部７８には、各種のコンピュータプログラムが格納されており、例えば、制御装置７０で画像読取装置１等の周辺機器を制御する際におけるドライバ８０や、特定の目的を実行するために設計されたアプリケーション８２等のコンピュータプログラムが格納されている。
【００４８】
本実施形態に係る画像読取装置１は、以上のごとき構成からなり、以下、その作用について説明する。図７は、大きな原稿を読取る場合における説明図である。本実施形態に係る画像読取装置１で原稿９０の画像を読取る場合には、原稿カバー２０を開き、画像を読取る側の面が載置面１１側を向く向きで原稿９０を載置部１０の載置面１１上に載置する。この状態で原稿カバー２０を閉じ、載置面１１に載置された原稿９０を載置面１１と原稿カバー２０で挟んだ状態で読取る。
【００４９】
このように、原稿９０を読取る場合には、まず、読取り動作が可能になるように読取りの起動を行うが、この読取起動は、画像読取装置１の使用者が操作ボタン４５に対して読取起動の入力操作を行うことにより行う。操作ボタン４５に対して行う入力操作は、制御部５０の処理部５２が有する入力操作取得部６０で取得可能になっているが、読取起動の入力操作が操作ボタン４５に対して行われたことを入力操作取得部６０で取得した場合、入力操作取得部６０は、この入力操作があったとの情報を、読取制御部５６や連結状態取得部６４に伝達する。これにより、読取制御部５６で画像の読取りの起動を行うと共に、連結状態取得部６４で、連結部２５の連結状態を取得する。
【００５０】
ここで、原稿カバー２０に設けられている連結部２５は、第１カバー２１と第２カバー２２との連結と非連結との切替えが可能に設けられており、連結状態にすると第１カバー２１と第２カバー２２とを一体で開閉させることができ、非連結の状態にすると第１カバー２１と第２カバー２２とを独立して開閉させることが可能になっている。また、原稿９０の画像を読取る場合には、原稿カバー２０を開いて原稿９０を載置面１１上に載置した後原稿カバー２０を閉じて、原稿９０を載置面１１と原稿カバー２０で挟んだ状態で読取る。
【００５１】
このため、例えば、原稿９０の大きさが比較的大きい場合には、第１カバー２１と第２カバー２２とを一体で開閉できた方が使い勝手が良いため、使用者は、原稿カバー２０を開く前に、連結部２５を、第１カバー２１と第２カバー２２とを連結する状態にする。連結部２５の連結状態は、連結センサ３５で検出することができるため、原稿９０を載置面１１上に載置する際に開閉する原稿カバー２０の開閉を開閉状態取得部６２で取得したら、連結センサ３５での検出結果より、連結状態取得部６４で連結部２５の連結状態を取得する。
【００５２】
また、開閉状態取得部６２で原稿カバー２０の開閉を取得した場合、連結状態取得部６４で取得した連結部２５の連結状態は、さらに駆動制御部５８に伝達される。駆動制御部５８は、伝達された連結部２５の連結状態に応じて駆動モータ４０を制御し、読取部１５を、連結部２５の連結状態に応じた位置に移動させる。
【００５３】
具体的には、駆動制御部５８は、連結部２５が第１カバー２１と第２カバー２２とを連結する状態になっている場合には、読取部１５を、読取部１５の移動方向における端部、即ち、副走査方向における端部に位置させる。読取部１５の移動方向における端部は、原稿カバー２０を閉じた場合に、原稿カバー２０の端部付近が位置する部分になっている。このため、換言すると、連結部２５が第１カバー２１と第２カバー２２とを連結している場合には、読取部１５は、画像の読取りの待機時に、連結されている原稿カバー２０全体の端部の位置に該当する位置に移動する。
【００５４】
このように、読取部１５が副走査方向における端部に位置して画像の読取りを待機している状態で、使用者が原稿カバー２０を閉じて原稿９０を原稿カバー２０と載置面１１とで挟み込み、操作ボタン４５に対して画像を読取る旨の入力操作を行うと、読取部１５は原稿９０の読取りを開始する。つまり、画像読取開始の入力操作が操作ボタン４５に対して行われたことを入力操作取得部６０で取得した場合、入力操作取得部６０は、この入力操作があったとの情報を読取制御部５６や駆動制御部５８等の各部に伝達する。
【００５５】
このうち、読取制御部５６は、読取部１５を制御し、読取部１５が有する光源を点灯させながら、ラインセンサでの受光情報を取得することにより、原稿９０の画像を読取る。詳しくは、読取部１５の光源が発光する場合は、載置部１０に向かって発光する。載置部１０は、ガラス等の透明な部材により形成されているため、載置部１０に向った光は載置部１０を透過する。原稿９０は、この載置部１０における読取部１５が位置する側の面の反対側の面である載置面１１に載置されているため、載置部１０を透過した光は、載置面１１に載置されている原稿９０で反射する。
【００５６】
原稿９０で反射した光は、再び載置部１０を透過し、読取部１５の方向に向う。原稿９０で反射した光が到達した読取部１５は、この光をラインセンサで受光し、受光した光の情報は、読取制御部５６で取得する。ラインセンサは、複数の受光素子が一次元配列状に配設されているため、読取制御部５６は、ラインセンサで受光した光の情報を取得することにより、受光素子が配列している方向、即ち、主走査方向の原稿９０の画像情報を取得する。
【００５７】
また、画像を読取る旨の入力操作が行われたとの情報を入力操作取得部６０から伝達された駆動制御部５８は、駆動モータ４０を制御し、駆動モータ４０を作動させることにより、読取部１５を移動させる。駆動モータ４０を作動させた場合、読取部１５は、読取部１５が有するラインセンサが形成される方向に直交する方向に沿って形成されたレールに沿って移動する。読取部１５は、このように移動中も原稿９０の画像を読取りながら移動するが、移動の方向は、ラインセンサに直交する方向になっている。このため、移動しながら画像を読取る読取部１５は、ラインセンサが有する複数の受光部の配列方向と、この配列方向に直交する方向に読取るため、原稿９０の画像を、二次元方向に読取る。即ち、読取部１５は、原稿９０の画像を主走査方向に走査しながら副走査方向に走査することにより、原稿９０の画像を二次元方向に読取る。
【００５８】
駆動制御部５８は、このように駆動モータ４０を制御することにより読取部１５の移動を制御するが、読取部１５の移動範囲は、開閉状態取得部６２で取得した原稿カバー２０の開閉状態、及び連結状態取得部６４で取得した連結部２５の連結状態によって異ならせる。例えば、上述したように、原稿９０の大きさが比較的大きいことにより、連結部２５を連結状態にした場合には、連結状態取得部６４は連結部２５が連結状態である旨を取得する。また、連結部２５が連結状態の場合には、原稿カバー２０は第１カバー２１と第２カバー２２とが共に閉じられている状態であるため、開閉状態取得部６２は、第１カバー２１と第２カバー２２とが共に閉じられている旨を取得する。
【００５９】
開閉状態取得部６２と連結状態取得部６４とより、これらの情報を取得した駆動制御部５８は、駆動モータ４０を制御して、読取部１５を、副走査方向における読取部１５の移動範囲の一端から他端まで移動させる。この移動範囲は、連結されている原稿カバー２０の一端付近から他端付近までとなっており、連結されている原稿カバー２０のほぼ全体が含まれている。このため、連結部２５が第１カバー２１と第２カバー２２とを連結している場合には、読取部１５は、原稿カバー２０のほぼ全体を読取り範囲として読取り、連結されている第１カバー２１と第２カバー２２とが位置する範囲の原稿９０の画像を読取る。
【００６０】
図８は、小さな原稿を読取る場合における説明図である。画像読取装置１で読取る原稿９０の大きさが比較的大きい場合には、連結部２５を連結状態にし、第１カバー２１と第２カバー２２を連結させた状態で読取るのに対し、原稿９０の大きさが比較的小さい場合には、連結部２５を非連結の状態にして読取る。つまり、原稿９０の画像は、載置面１１に載置した原稿９０を、載置面１１と原稿カバー２０とで挟んだ状態で読取るが、原稿９０の大きさが比較的小さく、具体的には、第１カバー２１や第２カバー２２の大きさよりも小さい場合には、連結部２５を非連結の状態にする。これにより、第１カバー２１と第２カバー２２とは独立して開閉させることができるため、原稿９０を原稿カバー２０と載置面１１とで挟む場合には、第１カバー２１と第２カバー２２とのうち、いずれか一方のカバーを開閉することによって原稿９０を挟む。
【００６１】
原稿９０の画像の読取り時に、原稿９０を載置面１１上に載置するために原稿カバー２０を開いた場合には、開閉センサ３０での検出結果より開閉状態取得部６２で原稿カバー２０の開閉情報、即ち、第１カバー２１と第２カバー２２とのうち、いずれか一方のカバーを開いたとの情報を取得する。例えば、図８に示すように、第１カバー２１を開いた場合には、開閉センサ３０で第１カバー２１を開いたことを検出し、この情報を開閉状態取得部６２で取得する。
【００６２】
入力操作取得部６０で、操作ボタン４５に対して読取起動の入力操作が行われたとの情報を取得し、また、原稿カバー２０を開いたとの情報を開閉状態取得部６２で取得したら、大きい原稿９０を読取る場合と同様に、読取制御部５６で画像の読取りの起動を行うと共に、連結状態取得部６４で、連結部２５の連結状態を取得する。この場合、連結状態取得部６４は、連結部２５は非連結の状態であるとの情報を取得する。
【００６３】
また、駆動制御部５８は、開閉状態取得部６２や連結状態取得部６４で取得した情報に応じて駆動モータ４０を制御し、読取部１５を移動させる。具体的には、駆動制御部５８は、連結部２５が第１カバー２１と第２カバー２２とを連結しない状態になっている場合には、読取部１５を、読取部１５の移動方向における第１カバー２１と第２カバー２２との間の部分に該当する位置に移動させる。このため、換言すると、連結部２５が第１カバー２１と第２カバー２２とを連結していない場合には、読取部１５は、画像の読取りの待機時に、隣り合う原稿カバー２０同士である第１カバー２１と第２カバー２２との間の部分に該当する位置に移動する。
【００６４】
このように、読取部１５が副走査方向における第１カバー２１と第２カバー２２との間の部分に該当する部分に位置して画像の読取りを待機している状態で開いた第１カバー２１を閉じ、操作ボタン４５に対して読取り開始の入力操作を行うと、入力操作取得部６０は、この入力操作があったとの情報を読取制御部５６や駆動制御部５８等の各部に伝達する。これにより、読取制御部５６は、読取部１５の読取り制御を行い、読取部１５の光源を発光させつつラインセンサで光を受光することにより、主走査方向の原稿９０の画像情報を取得する。
【００６５】
また、駆動制御部５８は、駆動モータ４０を制御して駆動モータ４０を作動させることにより、読取部１５を移動させる。この場合における読取部１５を移動させる方向は、開閉状態取得部６２によって開閉したことを取得した原稿カバー２０の方向に移動させる。このため、第１カバー２１を開閉したことを開閉状態取得部６２で取得した場合には、駆動制御部５８は読取部１５を、第１カバー２１と第２カバー２２との間に該当する位置、即ち、第１カバー２１における第２カバー２２側の端部から、他端側に向けて移動させる。これにより、読取部１５は、第１カバー２１のほぼ全体を読取り範囲として読取り、開閉された第１カバー２１が位置する範囲の原稿９０の画像を読取る。
【００６６】
第１カバー２１を開閉して原稿９０を第１カバー２１と載置面１１とで挟んだ場合には、原稿９０の画像の読取り時に読取部１５を第１カバー２１が位置する範囲を移動させることにより原稿９０の画像を読取るが、第２カバー２２を開閉した場合も、同様に読取る。つまり、第２カバー２２を開閉して原稿９０を第２カバー２２と載置面１１とで挟んだ場合には、原稿９０の画像の読取り時に読取部１５を、第１カバー２１と第２カバー２２との間の部分に該当する位置から、第２カバー２２における第１カバー２１側の端部の反対側の端部にかけて移動させながら原稿９０の画像を読取る。これにより、読取部１５は、第２カバー２２のほぼ全体を読取り範囲として読取り、開閉された第２カバー２２が位置する範囲の原稿９０の画像を読取る。
【００６７】
これらのように、原稿カバー２０を連結部２５で連結しておらず、一部の原稿カバー２０が独立して開閉された場合には、読取部１５は、直前に閉じられた原稿カバー２０が位置する範囲の原稿９０の画像を読取る。
【００６８】
また、画像読取装置１には、当該画像読取装置１に制御装置７０が接続されており、これらのように読取った原稿９０の画像は、制御装置７０の記憶部７８に記憶された読取画像保存手段であるアプリケーション８２によって、適宜処理することができる。例えば、原稿カバー２０の開閉順序や、連結部２５の連結状態に応じて複数の原稿９０の画像のページを決定し、１つのファイルとして保存する。具体的には、画像を読取る原稿９０が複数あり、連結部２５を連結させずに、原稿９０を第１カバー２１側と第２カバー２２側とで交互に読取り、最初に閉じられた側の原稿カバー２０で読取った画像を１ページ目とする。また、複数の原稿９０をこのように読取る場合には、画像を読取るごとに最終ページとして追加して、１つのファイルとして、画像読取装置１の記憶部６６、または制御装置７０の記憶部７８に保存する。
【００６９】
画像読取装置１で読取った原稿９０の画像を、これのようにアプリケーション８２によって処理する場合には、読取った原稿９０の画像や各種の情報を、制御装置７０が有する表示部８８で表示しながら、画像の処理方法を操作部８６で入力操作することにより、所望の処理を行ってもよい。
【００７０】
なお、上述した画像読取装置１では、原稿カバー２０は第１カバー２１と第２カバー２２との２つのカバーを有しているが、原稿カバー２０は、３つ以上のカバーを有していてもよい。図９は、実施形態に係る画像読取装置の変形例を示す説明図である。原稿カバー２０は、例えば、図９に示すように、第２カバー２２が２分割されることにより、さらに第３カバー２３が設けられていてもよい。この第３カバー２３は、ヒンジによって本体部５に接続されることにより本体部５に対して開閉可能な第２カバー２２に、さらにヒンジ（図示省略）によって接続されている。これにより、第３カバー２３は、第２カバー２２が閉じられている場合でも、載置面１１に対して開閉することができる。
【００７１】
また、このように設けられる第２カバー２２と第３カバー２３とは、連結部２５によって連結可能になっている。即ち、第２カバー２２と第３カバー２３とは、第１カバー２１と第２カバー２２との関係と同様に、連結部２５によって連結させたり、非連結の状態にしたりすることを切替えることができる。
【００７２】
第３カバー２３は、このように設けられる連結部２５の連結状態を切替えることにより、第２カバー２２との連結状態を切替えることができる。つまり、この連結部２５を非連結の状態にした場合には、第２カバー２２が閉じられている場合でも、第２カバー２２とは独立して載置面１１に対して開閉させることができる。また、連結部２５を連結させることにより第２カバー２２と第３カバー２３とを連結させた場合には、第３カバー２３を第２カバー２２と一体で載置面１１に対して開閉させることができる。
【００７３】
また、この第３カバー２３には、第１カバー２１や第２カバー２２と同様に、開閉状態を検出する開閉センサ３０が設けられており、第３カバー２３の開閉状態を開閉センサ３０で検出し、開閉状態取得部６２で取得することができる。また、第２カバー２２と第３カバー２３との連結部２５にも、第１カバー２１と第２カバー２２との連結部２５と同様に、連結状態を検出する連結センサ３５が設けられており、第２カバー２２と第３カバー２３との連結状態を連結センサ３５で検出し、連結状態取得部６４で取得することができる。
【００７４】
このように、第３カバー２３を設け、第２カバー２２と第３カバー２３との連結が可能な連結部２５を設けて、第３カバー２３を第２カバー２２に対して連結させたり非連結の状態にしたりすることを切替え可能にすることにより、原稿９０の読取り時の制御を、さらに小さい原稿９０に対応させることができる。つまり、第３カバー２３を第２カバー２２に連結させ、さらに第２カバー２２を介して、または直接、第３カバー２３を第１カバー２１に連結させた場合には、原稿９０の画像の読取り時に、読取部１５を原稿カバー２０全体に移動させる。これにより、原稿カバー２０全体の範囲の画像を取得する。
【００７５】
また、第３カバー２３を第１カバー２１に連結させず、第２カバー２２にのみ連結させた場合には、原稿９０の画像の読取り時に、第１カバー２１と、第２カバー２２及び第３カバー２３を連結させたカバーとのうち、直前に開閉した側のカバーの範囲で、読取部１５を移動させる。これにより、第１カバー２１の範囲、または第２カバー２２と第３カバー２３とを合わせた範囲の画像を取得する。
【００７６】
また、第３カバー２３を第１カバー２１と第２カバー２２との双方に対して連結させない場合には、原稿９０の画像の読取り時に、第１カバー２１と、第２カバー２２と、第３カバー２３とのうち、直前に開閉した側のカバーの範囲で、読取部１５を移動させる。ここで、第３カバー２３は第２カバー２２に対して、読取部１５の主走査方向において独立して開閉可能に設けられているため、第３カバー２３を第２カバー２２に対して非連結の状態にした場合において第３カバー２３を開閉した場合には、読取部１５は副走査方向において第３カバー２３の範囲で移動しつつ、主走査方向における第３カバー２３の範囲の読取りを行う。これにより、直前に開閉したカバーの範囲の画像を取得すると共に、さらに小さな範囲の画像を読取ることが可能になるため、小さな原稿９０の画像を効率的に読取ることが可能になる。
【００７７】
図１０は、原稿の画像の読取り時における処理手順の概略を示すフロー図である。次に、実施形態に係る画像読取装置１で原稿９０の画像を読取る場合における制御方法、即ち、原稿９０の画像の読取り時における処理手順である画像読取フローの概略について説明する。なお、下記の画像読取フローの説明では、原稿カバー２０が第１カバー２１と第２カバー２２と第３カバー２３とを有している場合のように、少なくとも３つ以上のカバーを有している場合について説明する。
【００７８】
実施形態に係る画像読取装置１で原稿９０の画像を読取る場合には、まず、読取起動を行う（ステップＳＴ１０１）。この読取起動は、操作ボタン４５への入力操作の情報を取得する入力操作取得部６０で、操作ボタン４５に対して読取起動の入力操作が行われたとの情報を取得したら、読取制御部５６によって、読取部１５で画像を読取る準備を行う。
【００７９】
次に、原稿カバー２０が連結しているか否かを判定する（ステップＳＴ１０２）。この判定は、連結部２５の連結状態を、連結センサ３５での検出結果に基づいて連結状態取得部６４で取得し、連結状態取得部６４で判定する。
【００８０】
連結状態取得部６４での判定（ステップＳＴ１０２）により、原稿カバー２０を連結しているとの判定を行った場合（ステップＳＴ１０２、Ｙｅｓ判定）には、画像を読取る際のモードを全体読取モードにする（ステップＳＴ１０３）。このように、読取り時におけるモードを全体読取モードにする場合には、駆動制御部５８で駆動モータ４０を制御することにより、読取部１５を、副走査方向における端部、即ち、閉じた状態の原稿カバー２０における原稿カバー２０全体の端部の位置に該当する位置付近に移動させる。
【００８１】
読取部１５を移動させたら、全体読取を行う（ステップＳＴ１０４）。つまり、読取部１５で原稿９０の画像を読取りながら、駆動モータ４０を作動させて読取部１５を移動させることにより、読取部１５で主走査方向に走査しながら、読取部１５を原稿カバー２０の一端付近から他端付近まで移動させる。これにより、閉じた状態の原稿カバー２０のほぼ全範囲を読取り範囲として読取部１５で読取り、原稿カバー２０と載置面１１とで挟まれた原稿９０の画像を読取る。
【００８２】
次に、割付設定が無いか否かを判定する（ステップＳＴ１０５）。なお、ここでいう割付とは、複数の原稿９０を読取部１５で複数回走査して読取る場合において、異なる複数の原稿カバー２０と載置面１１とで原稿９０を挟み込んで画像を読取る際に走査する領域の割付を表している。この割付設定の有無の判定は、制御装置７０の記憶部７８に記憶されているアプリケーション８２によって行い、アプリケーション８２は、画像を読取る際における現在の制御において割付が設定されているか否かの判定を行う。
【００８３】
このアプリケーション８２の判定により、割付設定が無いと判定された場合（ステップＳＴ１０５、Ｙｅｓ判定）には、全体読取を行った後、読取った画像を保存し、読取部１５での読取りを終了する（ステップＳＴ１０８）。
【００８４】
これに対し、アプリケーション８２の判定（ステップＳＴ１０５）により、割付設定が無いと判定されない場合、即ち、割付設定があると判定された場合（ステップＳＴ１０５、Ｎｏ判定）には、割付読取モードを実行する（ステップＳＴ１０６）。
【００８５】
図１１は、割付読取モードの処理手順を示すフロー図である。割付読取モードを実行する場合には、アプリケーション８２中における割付読取モードのサブルーチンを呼び出して実行する。この割付読取モードでは、まず、全連結部ｎの連結状態ｎ’を確認する（ステップＳＴ２０１）。この確認は、制御装置７０の制御部７２と画像読取装置１の制御部５０とで通信を行うことにより、画像読取装置１に設けられる連結部２５の全数ｎのうち、連結状態になっている連結部２５の数ｎ’を取得し、確認する。
【００８６】
連結状態の連結部２５の数ｎ’を確認したら、次に、連結部２５の全数ｎ＝連結状態の連結部２５の数ｎ’であるか否かを判定する（ステップＳＴ２０２）。この判定により、（ｎ＝ｎ’）であると判定された場合（ステップＳＴ２０２、Ｙｅｓ判定）には、アプリケーション８２の割付指定数を使用する（ステップＳＴ２０３）。つまり、全て連結部２５が連結状態になっている場合には、制御装置７０に記憶されているアプリケーション８２で設定されている数を、割付数として使用する。なお、ここでいう割付数とは、原稿９０の画像の読取り時の走査領域を割付ける場合における領域の数を示している。
【００８７】
これに対し、（ｎ＝ｎ’）ではないと判定された場合（ステップＳＴ２０２、Ｎｏ判定）には、（ｎ−ｎ’＋１）数を、割付数に使用する（ステップＳＴ２０４）。つまり、連結状態になっていない連結部２５がある場合には、連結状態になっている連結部２５の数に基づいて、現在の連結状態において割付ける際の数を算出し、割付数を設定する。連結状態になっていない連結部２５がある場合に割付数を設定する場合には、このように、実際の連結部２５の状態、即ち、ハード側の状態を優先して、割付数を設定する。
【００８８】
次に、割付数が３以上であるか否かを判定する（ステップＳＴ２０５）。即ち、アプリケーション８２で指定した割付数、または、連結している連結部２５の数に基づいて設定した割付数が３以上であるか否かを判定する。
【００８９】
割付数の判定を行った結果、割付数が３以上であると判定された場合（ステップＳＴ２０５、Ｙｅｓ判定）には、割付条件に合わせて３箇所以上の読取りを行う（ステップＳＴ２０６）。つまり、複数の原稿９０の画像を読取部１５で複数回走査することによって読取る場合に、開閉を行う機会のある３箇所以上の原稿カバー２０の領域を読取り領域にするなどの割付条件に合わせて、原稿カバー２０を開閉するごとに、開閉を行った原稿カバー２０の読取り領域の画像を順次読取る。
【００９０】
また、割付数の判定を行った結果、割付数が３以上ではないと判定された場合（ステップＳＴ２０５、Ｎｏ判定）には、割付条件に合わせて２箇所の読取りを行う（ステップＳＴ２０７）。この場合も、割付数が３以上であると判定された場合と同様に、開閉を行う機会のある２箇所の原稿カバー２０の領域を読取り領域にするなどの割付条件に合わせて、原稿カバー２０を開閉するごとに、開閉を行った原稿カバー２０の読取り領域の画像を順次読取る。
【００９１】
これらのように、割付条件に合わせて複数の原稿９０の画像を読取ったら、この割付読取モードのサブルーチンから抜け出て、元の処理手順である画像読取フローに戻る。
【００９２】
割付読取モードでの処理を行い（ステップＳＴ１０６）、画像読取フローに戻ったら、次に、ファイル／ページ管理モードを実行する（ステップＳＴ１０７）。
【００９３】
図１２は、ファイル／ページ管理モードの処理手順を示すフロー図である。ファイル／ページ管理モードを実行する場合には、アプリケーション８２中におけるファイル／ページ管理モードのサブルーチンを呼び出して実行する。なお、このファイル／ページ管理モードは、画像読取装置１の読取部１５で読取った原稿９０の画像を保存する際に、保存の形態を管理するモードとなっている。
【００９４】
ファイル／ページ管理モードでは、まず、ファイル管理指定があるか否かを判定する（ステップＳＴ３０１）。この判定は、読取った複数の原稿９０の画像を、１つまたは複数のデータファイルとして管理する指定が、アプリケーション８２により行われているか否かによって行う。
【００９５】
この判定により、アプリケーション８２によるファイル管理指定がないと判定された場合（ステップＳＴ３０１、Ｎｏ判定）には、割付数分の画像を保存する（ステップＳＴ３０２）。つまり、読取った原稿９０の画像を、データファイルとしてはまとめずに、個別に、画像読取装置１の記憶部６６、または制御装置７０の記憶部７８に記憶する。このように、原稿９０の画像を保存したら、このファイル／ページ管理モードのサブルーチンから抜け出る。
【００９６】
これに対し、アプリケーション８２によるファイル管理指定があると判定された場合（ステップＳＴ３０１、Ｙｅｓ判定）には、ページ付加指定があるか否かを判定する（ステップＳＴ３０３）。この判定は、読取った複数の原稿９０の画像を所定のファイルとして管理する場合に、所定のページ付加の指定がアプリケーション８２により行われているか否かによって行う。
【００９７】
この判定により、ページ付加指定があると判定された場合（ステップＳＴ３０３、Ｙｅｓ判定）には、原稿カバー２０の開閉タイミングにズレはあるか否かを判定する（ステップＳＴ３０４）。即ち、複数の原稿９０の画像を読取る際に、開閉状態取得部６２で取得した原稿カバー２０の開閉のタイミングが、複数の原稿カバー２０でズレていたか否かを判定する。
【００９８】
この判定により原稿カバー２０の開閉タイミングにズレがあると判定された場合（ステップＳＴ３０４、Ｙｅｓ判定）には、閉じたタイミングが早い側の原稿カバー２０が位置する読取り領域で読取った画像から、読取順を設定する（ステップＳＴ３０５）。つまり、この場合、最初に閉じられた原稿カバー２０が位置する読取り領域で読取った画像を１ページ目にする。
【００９９】
これに対し、原稿カバー２０の開閉タイミングにズレがないと判定された場合（ステップＳＴ３０４、Ｎｏ判定）には、アプリケーション８２の読取り順指定を使用する（ステップＳＴ３０６）。つまり、原稿カバー２０が連結されており、原稿カバー２０の開閉タイミングにズレがない場合でも、複数の原稿９０の画像に対して、読取り順に対するページがアプリケーション８２で設定されている場合には、アプリケーション８２で設定されている所定の読取り順を指定する。
【０１００】
これらのように、原稿カバー２０を閉じるタイミングのズレに応じて読取順を設定したり（ステップＳＴ３０５）、アプリケーション８２で設定される読取り順を指定したり（ステップＳＴ３０６）した場合、または、ページ付加指定がないと判定された場合（ステップＳＴ３０３、Ｎｏ判定）には、読取順でページを付加する（ステップＳＴ３０７）。つまり、複数の原稿９０の画像を１つのファイルとして扱う際におけるファイル内でのページを、画像ごとに付加する。
【０１０１】
次に、管理するファイルの切替えの基準になる切替動作を検出する（ステップＳＴ３０８）。この切替動作としては、連結部２５による連結切替、原稿カバー２０の同時開閉等がある。また、これ以外にも、画像読取装置１の操作ボタン４５や制御装置７０の操作部８６に設定される切替スイッチ（図示省略）や、これら以外のものも、ファイルの切替えの基準になる切替動作として検出してもよい。
【０１０２】
次に、これらの切替動作の検出を行うことにより、切替動作があったか否かを判定する（ステップＳＴ３０９）。この判定により、切替動作があったと判定された場合（ステップＳＴ３０９、Ｙｅｓ判定）には、複数の原稿９０の画像を、原稿カバー２０の連結状態、またはアプリケーション８２での設定に応じたページ順で１つのファイルとして保存した後、このファイル／ページ管理モードのサブルーチンから抜け出て、元の処理手順である画像読取フローに戻る。
【０１０３】
これに対し、切替動作の検出を行うことにより、切替動作がないと判定された場合（ステップＳＴ３０９、Ｎｏ判定）には、ページ追加読取を行う（ステップＳＴ３１０）。つまり、ファイルの切替動作がないと判定された場合には、その後に原稿９０の画像の読取りが行われた場合に、管理するファイルを継続してページの追加読取りを行う。これにより、アプリケーション８２は、読取部１５で複数の原稿９０の画像を連続して読取る場合には、読取部１５で画像を読取るごとに読取った画像を１つのファイルにおける最終ページとして追加する。このページ追加読取りは、ファイルの切替動作を検出し（ステップＳＴ３０８）、切替動作があったと判定されるまで（ステップＳＴ３０９、Ｙｅｓ判定）継続する。
【０１０４】
これらのように、ファイル／ページ管理モードでの処理を行い（ステップＳＴ１０７）、読取った複数の原稿９０の画像を、ファイルの状態で、または個別の保存を行ったら、読取部１５での読取りを終了する（ステップＳＴ１０８）。
【０１０５】
これらに対し、読取起動（ステップＳＴ１０１）後、原稿カバー２０は連結していないと判定された場合（ステップＳＴ１０２、Ｎｏ判定）には、画像を読取る際のモードを独立読取モードにする（ステップＳＴ１０９）。このように、読取り時におけるモードを独立読取モードで画像を読取る場合には、まず、開閉センサ３０での検出結果に基づいて開閉状態取得部６２で原稿カバー２０の開閉状態を検出する（ステップＳＴ１１０）。
【０１０６】
次に、開閉状態取得部６２で検出した全ての原稿カバー２０が閉じているか否かを判定する（ステップＳＴ１１１）。この判定により、全ての原稿カバー２０が閉じていると判定された場合（ステップＳＴ１１１、Ｙｅｓ判定）には、原稿カバー２０の開閉状態に応じて原稿９０の画像を読取り、割付読取モード（ステップＳＴ１０６）、ファイル／ページ管理モード（ステップＳＴ１０７）を実行した後、読取りを終了する（ステップＳＴ１０８）。
【０１０７】
これに対し、開閉状態取得部６２で検出した全ての原稿カバー２０は閉じていないと判定された場合（ステップＳＴ１１１、Ｎｏ判定）には、次に、１つでも閉じている原稿カバー２０があるか否かを判定する（ステップＳＴ１１２）。この判定により、閉じている原稿カバー２０はないと判定された場合（ステップＳＴ１１２、Ｎｏ判定）には、全体読取を行う（ステップＳＴ１１３）。
【０１０８】
つまり、閉じている原稿カバー２０がない状態で、使用者が画像読取装置１によって原稿９０の画像を読取ろうとする状況としては、画像を読取る原稿９０が本である場合など、原稿９０の厚さが厚く、画像の読取り時に原稿カバー２０を閉じることができない状況が考えられる。このため、画像の読取り時に、閉じている原稿カバー２０がないと判定された場合には、読取部１５を副走査方向の全範囲を移動させながら画像を読取り、全体読取を行う。このように、読取部１５での読取り範囲の全体の読取りを行ったら、読取部１５での読取りを終了する（ステップＳＴ１０８）。
【０１０９】
これに対し、開閉状態取得部６２での検出結果より原稿カバー２０の開閉状態を判定し、１つでも閉じている原稿カバー２０があると判定された場合（ステップＳＴ１１２、Ｙｅｓ判定）には、次に、２つ以上の原稿カバー２０が閉じているか否かを判定する（ステップＳＴ１１４）。この判定により、２つ以上の原稿カバー２０が閉じていると判定された場合（ステップＳＴ１１４、Ｙｅｓ判定）には、原稿カバー２０の開閉状態に応じて原稿９０の画像を読取り、割付読取モード（ステップＳＴ１０６）、ファイル／ページ管理モード（ステップＳＴ１０７）を実行した後、読取りを終了する（ステップＳＴ１０８）。
【０１１０】
これに対し、開閉状態取得部６２での検出結果より原稿カバー２０の開閉状態を判定し、２つ以上の原稿カバー２０が閉じていないと判定された場合（ステップＳＴ１１４、Ｎｏ判定）には、次に、原稿カバー２０が閉じている領域を検出する（ステップＳＴ１１５）。つまり、閉じている原稿カバー２０はどの原稿カバー２０であるかを、開閉センサ３０での検出結果に基づいて開閉状態取得部６２で検出する。
【０１１１】
原稿カバー２０が閉じている領域を検出したら、次に、閉じた原稿カバー２０の読取領域である１箇所の領域を読取る（ステップＳＴ１１６）。これにより、閉じている原稿カバー２０の領域を読取ることにより、この原稿カバー２０と載置面１１とで挟んでいる原稿９０の画像を読取ったら、読取部１５での読取りを終了する（ステップＳＴ１０８）。
【０１１２】
原稿９０の画像を読取る場合には、これらのように原稿カバー２０の開閉状態や連結部２５による原稿カバー２０の連結状態に応じて読取るが、上述した一連の流れで読取った後、原稿カバー２０の開閉状態に応じて読取りを継続してもよい。次に、このように継続読取を行う場合における処理手順について説明する。
【０１１３】
図１３は、原稿カバーの開閉状態に基づいて読取りを継続する場合の処理手順を示すフロー図である。継続読取を行う場合には、操作ボタン４５に対して読取起動の入力操作が行われたことを入力操作取得部６０で取得したら、読取起動を行う（ステップＳＴ４０１）。次に、原稿カバー２０の開閉検知まで読取待機をする（ステップＳＴ４０２）。つまり、原稿カバー２０の開閉状態を、開閉センサ３０での検出結果より開閉状態取得部６２で取得し続ける。
【０１１４】
このように、原稿カバー２０の開閉状態を開閉状態取得部６２で取得し続けながら待機し、原稿カバー２０の開閉変化を検知したら（ステップＳＴ４０３）、画像読取フロー（図１０参照）で、原稿９０の画像を読取る（ステップＳＴ４０４）。
【０１１５】
画像読取フローで原稿９０の画像を読取ったら、次に、読取完了指示があるか否かを判定する（ステップＳＴ４０５）。この判定は、操作ボタン４５への入力操作の情報を取得する入力操作取得部６０で取得した情報に基づいて行い、入力操作取得部６０で、操作ボタン４５に対して読取完了の入力操作を取得したか否かを判定する。
【０１１６】
この判定により、読取完了指示があると判定された場合（ステップＳＴ４０５、Ｙｅｓ判定）には、画像読取装置１での原稿９０の画像の読取り制御を終了する（ステップＳＴ４０６）。
【０１１７】
これに対し読取完了指示がないと判定された場合（ステップＳＴ４０５、Ｎｏ判定）には、開閉状態取得部６２で原稿カバー２０の開閉変化をさらに検知し（ステップＳＴ４０７）、一定期間以上開閉変化がないか否かを判定する（ステップＳＴ４０８）。なお、この判定を行う場合の基準になる一定期間は、原稿９０の画像の読取りを行った後、画像読取装置１の使用者が継続して画像の読取りを行う意思があるか否かの判定を行う際の基準の時間として予め設定され、記憶部６６に記憶されている。
【０１１８】
この原稿カバー２０の開閉変化があるか否かの判定により、一定期間以上、原稿カバー２０の開閉変化がないと判定された場合（ステップＳＴ４０８、Ｙｅｓ判定）には、読取り制御を終了する（ステップＳＴ４０６）。これに対し、一定期間の間に原稿カバー２０の開閉変化があると判定された場合（ステップＳＴ４０８、Ｎｏ判定）には、ステップＳＴ４０４に戻り、再び画像読取フローを実行する。これにより、画像読取フローを実行することによって原稿９０の画像を読取った場合でも、継続して画像の読取り制御を行う。
【０１１９】
これらのように、原稿９０の画像を読取った後に、継続して画像の読取り制御を行う場合は、原稿カバー２０の開閉状態を、読取り制御の実行開始の判断基準として使用し、原稿カバー２０の開閉変化があった場合に、画像の読取り制御を継続する。
【０１２０】
以上の画像読取装置１は、原稿９０の画像を読取る際に、載置面１１とによって原稿９０を挟むことができる原稿カバー２０を有しており、原稿カバー２０は、載置面１１に対して独立して開閉可能な第１カバー２１と第２カバー２２とを有している。また、この原稿カバー２０には、第１カバー２１と第２カバー２２とを連結することができる連結部２５が設けられている。このため、原稿９０の大きさが比較的大きい場合には、連結部２５で第１カバー２１と第２カバー２２とを連結し、第１カバー２１と第２カバー２２とを一体で開閉させて原稿カバー２０と載置面１１とで原稿９０を挟むことにより、画像を読取ることができる。これにより、比較的大きな原稿９０の画像を読取る場合に、大きな原稿９０の大きさに適した原稿カバー２０を一度の開閉操作で開閉させることができ、比較的大きな原稿９０でも、容易に読取ることができる。
【０１２１】
また、原稿９０の大きさが比較的小さい場合には、連結部２５で第１カバー２１と第２カバー２２とを連結させずに、第１カバー２１や第２カバー２２を単体で開閉して原稿カバー２０と載置面１１とで原稿９０を挟んで画像を読取る。これにより、原稿９０の大きさが小さい場合には、開閉する原稿カバー２０の大きさも小さくすることができるので、開閉時に不必要な労力が発生することを抑制することができる。さらに、第１カバー２１と第２カバー２２とを独立して開閉させることができるので、大きさが小さい複数の原稿９０の画像を読取る場合には、第１カバー２１と第２カバー２２とを交互に開閉することにより、複数の原稿９０を第１カバー２１と載置面１１との間、及び第２カバー２２と載置面１１との間で、交互に挟むことができる。これにより、原稿９０を載置する載置面１１を効率よく使用して、複数の原稿９０の画像を効率よく読取ることができ、特に、小さい原稿９０を読取る際の読取り効率を向上させることができる。この結果、原稿９０の大きさに応じて原稿９０の画像を適切に読取ることができる。
【０１２２】
また、原稿カバー２０を連結部２５で連結している場合には、画像の読取りの待機時に、読取部１５を、連結している原稿カバー２０全体の端部の位置に該当する位置に移動させる。これにより、大きさが比較的大きい原稿９０の画像の読取りの開始時には、読取部１５は、この原稿９０の画像を読取る場合における読取り範囲の端部に位置しており、読取部１５は、画像の読取りに適切な位置に移動しているので、効率よく画像を読取ることができる。この結果、原稿９０の大きさに応じて原稿９０の画像を適切に、且つ、効率よく読取ることができる。
【０１２３】
また、原稿カバー２０を連結部２５で連結していない場合には、画像の読取りの待機時に、読取部１５を、隣り合う原稿カバー２０同士である第１カバー２１と第２カバー２２との間の部分に該当する位置に移動させる。これにより、原稿９０の画像の読取りを行う場合には、第１カバー２１と載置面１１との間に位置する原稿９０の画像を読取る場合でも、第２カバー２２と載置面１１との間に位置する原稿９０の画像を読取る場合でも、読取部１５を即座に第１カバー２１側または第２カバー２２側に移動させながら読取ることができる。従って、原稿カバー２０を交互に開閉させて複数の原稿９０の画像を交互に読取る際に、より効率よく読取ることができる。この結果、原稿９０の大きさに応じて原稿９０の画像を適切に、且つ、効率よく読取ることができる。
【０１２４】
また、読取部１５は、原稿カバー２０の連結時には、連結されている原稿カバー２０が位置する範囲の原稿９０の画像を読取っているため、画像を読取る際の載置面１１上における読取る位置及び範囲を、読取る原稿９０に応じた位置及び範囲にして読取ることができる。これにより、大きさが異なる原稿９０の画像を読取ることを可能にする場合に、読取る範囲を必要以上に大きくする必要がなく、画像を読取る原稿９０の大きさに応じて読取る範囲を異ならせることができるので、原稿９０の大きさに関わらず、効率よく画像を読取ることができる。この結果、原稿９０の大きさに応じて原稿９０の画像を適切に、且つ、効率よく読取ることができる。
【０１２５】
また、原稿カバー２０を連結部２５で連結しておらず、一部の原稿カバー２０が独立して開閉された場合には、読取部１５は、直前に閉じられた原稿カバー２０が位置する範囲の原稿９０の画像を読取っている。これにより、原稿カバー２０を連結させずに、比較的に小さな原稿９０の画像の読取りを行う場合に、載置面１１とで原稿９０を挟む原稿カバー２０に関わらず、読取部１５を、常に適切な位置に移動させることができ、複数の原稿９０の画像を、効率よく読取ることができる。この結果、原稿９０の大きさに応じて原稿９０の画像を適切に、且つ、効率よく読取ることができる。
【０１２６】
また、原稿９０の画像を読取る際に、連結部２５の連結状態や、原稿カバー２０の開閉状態に応じて読取部１５での読取り領域を異ならせて読取るので、使用者が原稿９０の大きさに応じた設定を行わなくても、原稿９０の大きさに応じた画像の読取りを行うことができる。この結果、原稿９０の読取り時に複数回行っていた読取りや、煩雑な設定の簡略化を図ることができる。
【０１２７】
また、原稿９０の画像を読取る場合には、複数の原稿カバー２０の開閉の順序や連結部２５による原稿カバー２０の連結状態に応じて、制御装置７０が有する記憶部７８に記憶されたアプリケーション８２で、読取部１５で読取った画像のページを決定して１つのファイルとして保存している。これにより、複数の原稿９０の画像を読取る場合に、読取った複数の画像を扱い易い状態にして保存することができる。この結果、複数の原稿９０の画像を適切に読取り、保存することができる。
【０１２８】
また、アプリケーション８２は、読取部１５で画像を読取るごとに、読取った画像を１つのファイルにおける最終ページとして追加している。これにより、複数の原稿９０の画像を読取って保存する場合に、１つのファイルにおけるページを、画像を読取る順番で決定して保存するので、より適切に、読取った画像を扱い易い状態にして保存することができる。この結果、複数の原稿９０の画像を適切に読取り、保存することができる。
【０１２９】
なお、上述した画像読取装置１では、原稿カバー２０は、第１カバー２１と第２カバー２２との２つのカバー、または、第１カバー２１と第２カバー２２と第３カバー２３との３つのカバーを有しているが、原稿カバー２０は、これら以外の複数であってもよい。また、複数の原稿カバー２０は、上述した形態以外で設けられていてもよく、例えば、原稿カバー２０が２つのカバーによって設けられている場合でも、２つのカバーは大きさが異なっていてもよい。複数の原稿カバー２０は、読取る可能性のある原稿９０の大きさに応じて適宜設定するのが好ましい。
【０１３０】
また、上述した画像読取装置１では、原稿カバー２０を連結部２５で連結していない場合には、画像の読取りの待機時に、隣り合う原稿カバー２０同士の間の部分に該当する位置に読取部１５を移動させているが、原稿カバー２０を連結していない場合には、必ずしもこの部分に読取部１５を移動させなくてもよい。例えば、原稿カバー２０が３つ以上のカバーを有している場合には、画像の読取りの待機時に、読取部１５を隣り合う原稿カバー２０同士の間の部分付近に移動させることができない場合があるため、このような場合には、開かれた原稿カバー２０の端部付近に読取部１５を移動させるのが好ましい。
【０１３１】
つまり、原稿カバー２０を連結部２５で連結していない状態で一部の原稿カバー２０が開かれた場合には、読取部１５を、開かれた原稿カバー２０の端部の位置に該当する位置に移動させるのが好ましい。これにより、原稿カバー２０を連結させずに、比較的に小さな原稿９０の画像の読取りを行う場合に、載置面１１とで原稿９０を挟む原稿カバー２０に関わらず、画像の読取り開始後即座に、開かれた原稿カバー２０が位置する範囲の原稿９０の画像を読取ることができる。従って、原稿カバー２０を交互に開閉させて複数の原稿９０の画像を交互に読取る際に、より効率よく読取ることができる。この結果、原稿９０の大きさに応じて原稿９０の画像を適切に、且つ、効率よく読取ることができる。
【０１３２】
また、原稿カバー２０同士を連結する連結機構は、上述した連結部２５以外によって設けられていてもよい。連結機構は、原稿カバー２０同士を容易に連結させたり、非連結の状態にしたりすることができ、原稿カバー２０同士を連結させた場合には、連結した原稿カバー２０を一体で開閉させることができれば、その構造は問わない。
【０１３３】
また、上述した原稿カバー２０は、ヒンジによって本体部５に接続されることにより、載置面１１に対して回動可能に設けられているが、原稿カバー２０を回動可能にする構造は、原稿カバー２０がヒンジによって本体部５に接続される以外の構造であってもよい。
【０１３４】
また、上述した画像読取装置１では、画像読取装置１に制御装置７０が接続され、読取った画像を処理するアプリケーション８２は、制御装置７０が有する記憶部７８に記憶されているが、読取画像保存手段であるアプリケーション８２は、画像読取装置１に記憶されていてもよい。また、読取画像保存手段は、アプリケーション８２のようなコンピュータプログラムではなく、読取った画像の処理を行う専用の電子回路として設けられていてもよい。
【０１３５】
また、上述した画像読取装置１では、読取部１５は、複数の受光素子が一次元配列状に配設されたラインセンサを有しているが、読取部１５が有する受光素子は、一次元配列状以外で配設されていてもよい。読取部１５は、例えば複数の受光素子が二次元配列状に配設された、いわゆるエリアセンサを有していてもよい。この場合、読取部１５のエリアセンサは、複数の原稿カバー２０全体に対応する大きさで設け、原稿カバー２０の開閉状態に応じて読取り範囲を異ならせてもよく、または、エリアセンサは、複数の原稿カバー２０のそれぞれの大きさに対応する大きさで設けると共に、対応する原稿カバー２０の位置に配設し、画像の読取り時には、原稿カバー２０の開閉状態に応じて、読取るエリアセンサを異ならせてもよい。このように、読取部１５にエリアセンサを設けた場合でも、原稿カバー２０の開閉状態に応じて画像を読取る範囲を異ならせることができるので、原稿９０の大きさに応じて原稿９０の画像を適切に読取ることができる。
【産業上の利用可能性】
【０１３６】
以上のように、本発明に係る画像読取装置は、フラットベッド型の画像読取装置に有用であり、特に、原稿の大きさが決まっておらず、異なる複数の大きさの原稿の画像を読取る画像読取装置に適している。
【符号の説明】
【０１３７】
１  画像読取装置
５  本体部
１０  載置部
１１  載置面
１５  読取部
２０  原稿カバー
２１  第１カバー
２２  第２カバー
２３  第３カバー
２５  連結部
３０  開閉センサ
３５  連結センサ
５０  制御部
５２  処理部
５６  読取制御部
５８  駆動制御部
６０  入力操作取得部
６２  開閉状態取得部
６４  連結状態取得部
６６  記憶部
７０  制御装置
７２  制御部
７４  処理部
７８  記憶部
８０  ドライバ
８２  アプリケーション
９０  原稿
【図１】
0005653138.tif 000002
【図２】
0005653138.tif 000003
【図３】
0005653138.tif 000004
【図４】
0005653138.tif 000005
【図５】
0005653138.tif 000006
【図６】
0005653138.tif 000007
【図７】
0005653138.tif 000008
【図８】
0005653138.tif 000009
【図９】
0005653138.tif 000010
【図１０】
0005653138.tif 000011
【図１１】
0005653138.tif 000012
【図１２】
0005653138.tif 000013
【図１３】
0005653138.tif 000014